(57)【要約】【課題】芳香拡散装置の構造を提供する。  【解決手段】  主に台座、中空ケース、電源コントロール、ファン、スピーカー、音楽回路コントロール、超音波振動装置、電球、液体容器、水よけプレート及び透明の中空カバーで構成する芳香拡散装置である。通電状態である場合、芳香液体を該液体容器の収納空間に入れ、超音波振動装置の発する高周波で大量のミクロなミストを発生することで、該透明中空カバーの内部空間を充満する。該透明中空カバーに開けた孔より外側に香りのあるミストを拡散する。該音楽回路コントロールはスピーカーを通じて、音楽を流し、電球によるライト効果など全て、香りのある空間に融合する。【選択図】  図1
0003153859.tif 000002
【実用新案登録請求の範囲】
【請求項１】
台座、ファン、超音波振動装置、電源コントロール、中空ケース、液体容器、水よけプレート、透明中空カバーを含み、
該台座の底部一部に複数の孔を具有し、
該ファンを該台座の複数の孔に結合し、及び、
該超音波振動装置の内部に回路コントロール機能を含み、該超音波振動装置の上部に水位感知器及び少なくとも一つの電球を設け、該超音波振動装置と電気接続し、
電源コントロールは前記ファン、超音波振動装置と電気接続し、及び、
中空ケースは該台座の上側に設置する中空収納室と定義し、上述の電源コントロールやファン、超音波振動装置を収納し、
該液体容器は底壁に周囲壁を結合し、収納空間と定義し、加圧空気導管の片端は直径の大きい空気の入り口があり、別端は上に向かって次第に小さく排気口を形成し、該排気口は該底壁に設置し、該収納空間に位置し、
該空気の入り口の下部は前記ファンと対応し、
該底壁の中央に中央孔を設置し、それに超音波振動装置を挿入固定し、該液体容器は更に該底壁を周囲壁よりも直径をやや大きくして側翼を形成し、及び、
該水よけプレートはパイプジョイントとタングシートを含み、該パイプジョイントは外周壁及び該外周壁の内側に二つの掛合柱を具有し、該二つの掛合柱とパイプジョイントの外周壁の隙間は、少なくとも一つの逆噴射噴き出し口を設置できる広さとし、
該二つの掛合柱は該排気口と嵌合固定することで、該水よけプレートのタングシートが放射線状に延伸し、該超音波振動装置及び該収納空間に注入する液体の上方を遮り、
透明の中空カバーは開放端及び該開放端に対応する開口部を含み、該透明中空カバーの一部は開放端より該液体容器の外部と嵌合し、該開放端は該液体容器の側翼と抵触し、一部は該中空ケースの間に固定することを特徴とする芳香拡散装置の構造。
【請求項２】
前記中空透明カバーの内部に更に防水ゴムリング及び張力リングを結合し、該防水ゴムリングの内側に溝を設け、該張力リングは開口を具有し、該直径は溝より大きいため、該張力リングの開口を圧縮することで当該直径を縮小し、溝の中に入れ、該張力リングは張力を解き放たれると、強い力で該防水ゴムリングを支え、しっかりと透明中空カバーの内壁に密着することを特徴とする請求項1記載の芳香拡散装置の構造。
【請求項３】
前記超音波振動装置の外部にリング状の縁を具有し、防水ゴムリングは該リング状の縁と結合し、該中央孔は内側溝を含み、該防水ゴムリングを該中央孔の内側溝に組み入れることで、液体容器からの液体漏れの防止を強化することを特徴とする請求項1記載の芳香拡散装置の構造。
【請求項４】
前記中空ケースは更に防水リング、上部溝及び下部溝、回路コントロールに対応した電源孔を含み、該防水リングを該液体容器の側翼底部と該中空ケースの上部溝の間に挟み、前記台座は該中空ケースの下部溝と結合することを特徴とする請求項1記載の芳香拡散装置の構造。
【請求項５】
前記台座は更に複数の接続柱を含み、該液体容器は更に複数の接続部を含み、該接続部を該接続柱に挿入してから、ネジを使って両者を螺合することを特徴とする請求項1記載の芳香拡散装置の構造。
【請求項６】
前記スピーカーは該台座の複数の孔の上に結合し、音楽回路コントロールによって発する音源は、電気接続したスピーカーにアウトプットすることで、音楽が香りのある環境で広がり、相乗効果を期待できることを特徴とする請求項1記載の芳香拡散装置の構造。
【請求項７】
前記液体容器は透明或いは半透明の材質を使用することを特徴とする請求項1記載の芳香拡散装置。
【請求項８】
更に外付けで音源入力装置或いはマイナス発生器など如何なる一種を結合することを特徴とする請求項1記載の芳香拡散装置。
【考案の詳細な説明】
【技術分野】
【０００１】
本考案は芳香拡散装置の構造に関し、特に拡散効果を透視でき、且つオーディオ、ライト効果を兼ね備える芳香拡散装置の構造に関する。
【背景技術】
【０００２】
従来の芳香拡散器は、超音波の振動器を使って、液体に高周波の振動伝導波を生じさせることで、液体の分子同士が無数のマイクロな真空気泡を作り出しては破裂する。分裂後の水滴自体がプラス電気を帯び、且つ周りの空気がマイナス電気を帯びるためにイオンが生まれ、いわゆる「滝の効果」或いは「レナード効果」と呼ばれている。従来技術の芳香拡散器は霧状の気体のみが上方に漂うだけであり、大自然の滝の水同士がぶつかり合うことで産まれる霧状の効果を得ることができない。
【０００３】
従来技術の芳香拡散器はアロマオイル及び水分を充填し、数回使用すると、アロマオイルなどの汚れが拡散器の内部に張り付く。そのままにすると、ミスト効果が悪くなるなど、掃除が必要である。しかし、市販の拡散器は分解や組立などしにくく、一般的にユーザーが掃除を行うのは不便である。
【０００４】
一種の従来技術の芳香拡散器において、超音波の振動器が激しく作動するため、液体は往々にして下方にある電子部品及び其の他の構造に飛び散りやすく、機械が損壊する或いはミスト効果が悪くなる。
【０００５】
更に一種の従来技術の芳香拡散器においては、超音波振動器の上端にある過剰の液体をかき回すことでミストを覆い隠してしまうため、ミスト効果が悪くなる。
【０００６】
幾つかの芳香拡散器はライト効果を具有するが、昼間はその効果が悪く、或いは本体の素材が光を通さないため、夜間でもそのライトの変化やミストの効果を表しにくい。
【０００７】
従来技術の芳香拡散器の内部体積が狭く、特に送風してミストを流すルートのスペースが狭いゆえに拡散の効果が悪い。よって、ファンを使って送風するルートの限られたスペースで有効的に改善することで、香り或いはミストの水分を迅速に拡散する機能の案出が必要となった。
【０００８】
近年旅館業者が消費者に清々しい空気に満ちた環境を提供するため、大型空調システムに様々な香りを調合し、エアコンでそれを拡散している。しかしそれは大規模なものであり、一般の消費者に適さない。
【０００９】
一種の従来技術の拡散器は、加圧することでアロマオイルを機械内部で細長い水柱に引き伸ばしてから、液体をミスト状に形成し、最後に頂上にある穴から噴き出す。この類の芳香拡散器は香りの放出は迅速であるが、噴出するアロマオイルと水分分子が粗く、消費者の受け入れ度が低いため、更なる改善が必要であった。
【先行技術文献】
【特許文献】
【００１０】
【特許文献１】実用新案公開平６−３３３３号公報
【考案の概要】
【考案が解決しようとする課題】
【００１１】
前記従来技術の欠点を解決するため、本考案は芳香拡散装置を提供し、香りのある液体或いは/及び水分を該液体容器の収納スペースに注入し、該超音波振動装置が高周波を放出し、該液体分子が振動することで、大量のミストを生じ、該透明且つ中空のカバーの内部空間に充満する。ライトの照射に合わせ、透明且つ中空のカバーにある穴より外部に該芳香のあるミストを噴き出す芳香拡散器の構造を提供することを主な課題とする。
【課題を解決するための手段】
【００１２】
上述の目的を解決するために、本考案は芳香拡散装置の構造を提供するものであり、下記のものを含む：台座−台座の底部一部に複数の孔を具有し、ファンを該台座の複数孔の上に結合する。超音波振動装置−超音波振動装置の内部に回路コントロール機能を含み、上部に水位感知器を設ける。電球−少なくとも一つの電球を該超音波振動装置と電気接続する。電源コントロール‐上述のファン及び超音波振動装置と電気接続する。中空ケース‐台座の上側と結合し、中空収納室と定義し、上述の電源コントロールやファン、超音波振動装置を収納する。液体容器‐底壁を含み、周囲壁を結合し、収納空間と定義する。加圧空気導管の片端は直径の大きい空気の入り口があり、上に向かって次第に小さくなる別端は空気の排気口である。該排気口は該底壁にあり、該収納空間に設置する。該空気の入り口851の下部は前記ファン40と対応し、該底壁81の中央に中央孔84を設け、そこに超音波振動装置70を挿入固定する。該液体容器80は更に該底壁81を周囲壁82よりも直径をやや大きくし、側翼86を形成する。水よけプレートはパイプジョイントとタングシートを含む。該パイプジョイントは外周壁103及び該外周壁103の内側に二つの掛合柱104を具有する。該二つの掛合柱104とパイプジョイント101の外周壁103の隙間は、少なくとも一つの逆噴射噴き出し口105を設置できる広さとする。該二つの掛合柱104は該排気口852と嵌合固定することで、該水よけプレート100のタングシート102が放射線状に延伸し、該超音波振動装置70及び該収納空間83に注入する液体上方を遮る。透明の中空カバー110は開放端115及び該開放端115に対応する開口部113を含み、該透明中空カバー110の一部は開放端115より該液体容器80の外部と嵌合し、該開放端は該液体容器80の側翼86と抵触し、一部は該中空ケース20の間に固定する。
【００１３】
該芳香拡散装置は古典的な造型である灯篭のクラシックな外形と透明のケースを具有し、大量のミストを当該透明空間に溜め続ける。その外形による視覚効果と共にユーザーは音楽と光の効果を同時に楽しむことができ、まるで大自然の滝のそばにいるかような錯覚を覚え、灯篭の美感も楽しめる。従来技術の芳香拡散器と違い、超音波振動装置で作り出す液体ミストの周囲はマイナスイオンが発生する。合わせて中空で透明なカバーの中には、まるで滝の水しぶきを思わせるようなミストが充満するのを目で見ることで、心身共に喜びを感じる。まるで美食を堪能するには、優雅な環境に目でも楽しめる盛り付けで、味覚と視覚を共鳴させるようである。
【００１４】
最良実施例では、本考案の構造はツールが無くても透明の中空外カバー及び水よけプレートを分解、組立することができ、ユーザーは便利且つ迅速にアロマオイルなどの汚れを掃除することができる。
【００１５】
最良実施例では、本考案はハイクォリティーなミストを発生することができる。本考案の超音波振動装置の上端面より溢れ出る液体は下方にある収納空間に流れるため、液体の過剰供給によりミストの発生が悪くなるのを防止する。及び超音波振動装置の振動により水分が拡散装置の下部にある電子部品にかかる、或いは機械が損壊或いは機能低下するのを防止する。
【００１６】
最良実施例では、本考案は従来技術のように特定の瓶に芳香液体或いは水を入れてから、本考案の液体容器に注入する必要はない。本考案は頂部にある開口より直接各種の芳香液体や各種の水分液体を注入することができ、直接当該液体の用量や残量を確認することができる。
【００１７】
最良実施例では、本考案は一種の加圧効果のある空気導管を使用し、マイクロ型ファンで送風することで、ジェット気流が発生し、ハイパワーの高周波超音波振動装置を作動することで、大量の香りのあるミストを発生し、迅速に空間に拡散するなど、従来技術の小型芳香拡散器の少量且つゆっくりとした芳香ミスト拡散効果を改善した。本考案では加圧した空気パイプの良好な加圧噴射導引によりミスト化の水分粒子を増やし、更に分散及びマイクロ粒子化にすることで、該ミスト粒子がゆっくりとした流動により合併或いは冷却し、比較的大きい粒子を再度形成して水滴となって再び液体容器に落ち、ミスト化が悪くなる状況を作り出すなど、アロマオイルや比較的大きい水分粒子が迅速に拡散して消耗するのを有効的に避ける。
【００１８】
本考案の芳香拡散装置に注入する液体は、芳香物、水、アロマオイル、香水、自然の植物の香りがする液体など、如何なる組合せとする。
【００１９】
本考案の芳香拡散装置の透明中空カバーの“透明”とは、ガラス、すりガラス、アクリル、プラスティック、陶磁器など如何なる一種透明の材質、及び上述の材質の様々な色彩のものとする。
【考案の効果】
【００２０】
本考案は中空ケース、電源コントロール、ファン、スピーカー、音楽回路コントロール、超音波振動装置、電球、液体容器、水よけプレート及び透明の中空カバーを設置し、芳香液体を該液体容器の収納空間に入れ、超音波振動装置の発する高周波で大量のミクロなミストを発生することで、該透明中空カバーの内部空間を充満する。該透明中空カバーに開けた孔より外側に香りのあるミストを拡散すると同時に、該音楽回路コントロールはスピーカーを通じて、音楽を流し、電球によるライト効果を兼ね備えた香りのある空間を形成する。  
【図面の簡単な説明】
【００２１】
【図１】本考案における芳香拡散装置の第一実施例の分解立体図である。
【図２】本考案の第一実施例のボットムビューである。
【図３】本考案の第一実施例の外観略図である。
【図４】本考案の第一実施例の組立断面略図である。
【図５】本考案の水よけプレートのボットムビューである。
【図６】本考案の第二実施例の異なる方向から見た分解立体図であり、更にマイナスイオン発生器を結合した略図である。
【考案を実施するための形態】
【００２２】
図1、図2及び図3に示すのは、本考案の芳香拡散装置の第一実施例である。それに含まれるのは台座10、該台座10の底部一部に複数の孔13を含む。ファン40、該台座10の複数の孔13の上に結合する。超音波振動装置70、内部の回路コントロール機能を含み、上部に水位感知器701を設けるほか、少なくとも一つの電球702を超音波振動装置70と電気接続する。電源コントロール30、上記のファン40と超音波振動装置70と電気接続する。中空ケース20を該台座10の上側にかぶせ、中空収納室21と定義し、電源コントロール30、ファン40、超音波振動装置70を収納する。液体容器80、底壁81を含み、周囲壁82を結合して収納空間83と定義する。当該液体容器80は透明或いは半透明の材質とする。
【００２３】
図4が示すのは、本考案の芳香拡散装置の第一実施例の断面略図である。該液体容器80は加圧空気導管85を含み、該加圧空気導管85の片端は直径の大きい空気の入り口851があり、空気の入り口851から上に向かって次第に小さくなる別端は空気の排気口852である。該排気口852は底壁81を貫通し、該収納空間83の中に位置する。該空気の入り口851の下部は前記ファン40と対応し、該底壁81は中央に中央孔84を設け、そこに超音波振動装置70を挿入固定する。該液体容器80は更に該底壁81を周囲壁82よりも直径をやや大きくし、側翼86を形成する。
【００２４】
図5に示すのは、本考案の芳香拡散装置の水よけプレートのボトムビューである。水よけ100はパイプジョイント101とタングシート102を含み、該パイプジョイント101は外周壁103及び該外周壁103の内側に二つの掛合柱104を具有する。該二つの掛合柱104とパイプジョイント101の外周壁103の隙間は、少なくとも一つの逆噴射噴き出し口105を設置できる広さとする。該二つの掛合柱104は該排気口852と嵌合固定することで、該水よけプレート100のタングシート102が放射線状に延伸し、該超音波振動装置70及び該収納空間83に注入する液体上方を遮る。透明の中空カバー110は開放端115及び該開放端115と対応する開口部113を含み、該透明中空カバー110の一部は開放端115より該液体容器80の外部と嵌合し、該開放端は該液体容器80の側翼86と抵触し、一部は該中空ケース20の間に固定する。    
【００２５】
前記開口部113に直接芳香物(アロマオイル)と水分を直接注入すると、該液体容器80の収納空間83に入るので、従来技術のように、蓋を開けて、或いは固形状の補充アロマ缶を使用する必要がない。
【００２６】
図1、図3及び図4に示すように、前記中空透明カバー110の内部に更に防水ゴムリング116及び張力リング117を結合する。該防水ゴムリング116の内側に溝116aを設け、該張力リング117は開口117aを具有し、該直径は溝116aより大きいため、該張力リング117の開口117aを圧縮することで当該直径を縮小し、溝116aの中に入れる。該張力リング117は張力を解き放たれると、強い力で該防水ゴムリング116を支え、しっかりと透明中空カバー110の内壁に密着する。該超音波振動器70が液体を振動攪拌する際の漏れ、或いは防水ゴムリング116が機械或いは外部環境の変化によって損壊し、液体が漏れることで本装置下部にある電子部品或いは性能に影響或いは破壊を防止する。当該防水効果は明らかに従来技術の芳香拡散器の防水効果より上回るものである。
【００２７】
通電した状態で香りのある液体を該液体容器80の収納空間83に注入し、ハイパワーの超音波振動装置70を使って高周波を出すのは従来技術と異なるところである。ユーザーは視覚で捕らえるのは、液体分子の振動により発生する大量のミストが該透明中空カバー110の内部空間111を充満し、更に電球702の光がミストに照らすことで光彩が生まれ、且つ透明の中空カバー110の開口113より外側に該ミストが拡散する。
【００２８】
該超音波振動装置70の外部にリング状の縁703を具有し、防水ゴムリング71は該リング状の縁703と結合する。該中央孔84は内側溝841を含み、該防水ゴムリング71を該中央孔84の内側溝841に組み入れることで、液体容器80からの液体漏れの防止を強化する。
【００２９】
超音波振動装置70は毎秒数万回から数百万回振動する超音波振動器を使い、瞬時に大量のミストを上向きに噴き出す。噴き出した水柱は円弧形の水よけプレート100のタングシート102にあたって高圧の水柱を押さえることで、細かい分子のミストが透明中空カバー110の内部空間に充満することができる。該ファン40が風を比較的大きい直径の空気の入り口851に送り、パイプの直径が上端に行くに従って、次第に小さくなる別端は空気の排気口852に送る。それにより気流を集中して加圧し、更に水よけプレート100のパイプジョイント101が該加圧した気流を遮るため、該逆噴射噴き出し口105が該加圧気流を四方から逆方向で下向きに、該液体容器80内部の収納空間83にある迅速にミスト化された香りのある気体に噴き出すことで、上向きに跳ね上がる強力な気流が生じ、開口部113より大量の細かな分子の芳香ミストが外に噴き出す。香りの拡散は従来技術の芳香拡散器より効果が迅速である。
【００３０】
超音波振動装置70にある電球702について、最良実施例は発光ダイオード(LED)を使用する。該LEDの光はそれぞれ赤、青、緑の発光ダイオードチップを具有する。或いは少なくとも一つのLEDが同時に赤、青、緑の発光ダイオードチップを具有する。超音波振動装置70の回路コントロール機能で該電球702を操作し、数色の光を混合した色彩を前記透明中空カバー110及びその中にある液体或いはミスト状の芳香にあてる。同時に該超音波振動装置70は該音楽回路コントロール60と電気接続することで、該超音波振動装置70の回路コントロール機能が該音楽回路コントロール60の音声シグナルの変化を受信して、該LEDの点滅及び光の混合効果を作動することで、計り知れない変化を作り出すミスト状の芳香効果を得ることができる。
【００３１】
中空ケース20は更に防水リング25、上部溝23及び下部溝24、回路コントロールに対応した電源孔22を含む。該防水リング120を該液体容器80の側翼86底部と該中空ケース20の上部溝23の間に挟む。前記台座10は該中空ケース20の下部溝24と結合する。
【００３２】
該中空ケース20は陶磁器、木の材質、ガラス、プラスティック、ガラス繊維など如何なる一つの材質で作る。該液体は芳香物、水、アロマオイル、香水、自然の植物の香りがする液体など、如何なる組合せとする。
【００３３】
前記台座10は更に複数の接続柱12を含み、該液体容器80は更に複数の接続部87を含む。該接続部87を該接続柱12に挿入してから、ネジ(図に未掲載)を使って両者を螺合する。
【００３４】
図1、図2及び図3に示すように、スピーカー50は該台座10の複数の孔13の上に結合し、音楽回路コントロール60によって発する音源は、スピーカー50と電気接続してアウトプットする。音楽回路コントロール60がアウトプットする音楽が香りのある環境で広がり、相乗効果が期待できる。
【００３５】
前記音楽回路コントロール60に個人の好みにより大自然の音や音楽、人間の声、動物や鳥の鳴き声にせせらぎの音などにすることができ、上記の香りの嗅覚に色彩の視覚と合わせて、感覚器官が十分に享受することができる。
【００３６】
図3に示すのは、本考案の芳香拡散装置である。外付けの音源インプット装置31を結合する。該外付け音源インプット装置31を該台座10に固定し、様々な音楽プレイヤー及びシステムを外付けすることができる。中空ケース20はUSBポートや一般のミュージックプレイヤーのジョイント、携帯型音楽プレイヤー、移動電子製品或いは電話装置などのジョイント或いは差し込みなどの外付け音源インプット装置31に対応した外付けポート26を含む。
【００３７】
図6に示すのは、本考案の第二実施例の芳香拡散装置である。一種の芳香拡散装置に更にマイナスイオン発生器90を該台座10に設置し、同時に電源コントロール30と電気接続することで、大量のマイナスイオンを発生させ、本考案のマイナスイオンの産出量を増やす。
【００３８】
前記台座10の外部底部に更に複数の足部14を設置することにより、本考案の芳香拡散装置を卓上或いは地面に置く際、該台座10の孔13が卓面或いは地面と一定の距離を保つため、ファン40の循環がよく或いはスピーカー50から流れる音声が妨げられず、放熱効果にも繋がる。
【００３９】
前記水位感知器701の高さは該液体容器80の底壁81よりやや高くする。液体容器80の水位が該水位感知器701の上端部より低くなると、損壊を防ぐため、水位感知器701は前記超音波振動装置70の回路コントロール機能を起動し、該超音波振動装置70の電源を切る。
【００４０】
従来技術の芳香拡散器は匂いを放出するのみである。本考案の芳香拡散装置が拡散する芳香ミストは、香りを匂えるだけでなく、光透過性のある円弧形の透明中空ケース110の内部空間111にミストが充満する茫漠とした美しい様を見ることができる。喧騒な都会生活のなか、良い香りに軽やかな音楽とライトアップされた環境に身をおくのは、まるで居心地の良い森に入り込んだかのような錯覚を覚える。音楽とマイナスイオンを香りのある環境に取り入れることで、聴覚に嗅覚の両方で享受でき、更に温かみのあるロマンチックでスィートなひと時を過ごせるだろう。
【００４１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００４２】
10  台座
12  接続柱
13  孔
14  足部
20  中空ケース
21  中空収納室
22  電源孔
23  上部溝
24  下部溝
25  防水リング
26  外付けポート
30  電源コントロール
31  外付け音源インプット装置
40  ファン
50  スピーカー
60  音楽回路コントロール
70  超音波振動装置
701  水位感知器
702  電球
703  リング状の縁
71  防水ゴムリング
80  液体容器
81  底壁
82  周囲壁
83  収納空間
84  中央孔
841  内側溝
85  加圧空気導管
851  空気の入り口
852  排気口
86  側翼
87  接続部
90  マイナスイオン発生器
100  水よけプレート
101  パイプジョイント
102  タングシート
103  外周壁
104  掛合柱
105  逆噴射噴き出し口
110  透明中空カバー
111  内部空間
112  接合部
113  開口
115  開放端
116  防水ゴムリング
116a  溝
117  張力リング
117a  開口
【図１】
0003153859.tif 000003
【図２】
0003153859.tif 000004
【図３】
0003153859.tif 000005
【図４】
0003153859.tif 000006
【図５】
0003153859.tif 000007
【図６】
0003153859.tif 000008
【手続補正書】
【提出日】平成21年7月22日(2009.7.22)
【手続補正１】
【補正対象書類名】実用新案登録請求の範囲
【補正対象項目名】請求項６
【補正方法】変更
【補正の内容】
【請求項６】
スピーカーを該台座の複数の孔の上に電気接続し、音楽回路コントロールによって発する音源は、該スピーカーにアウトプットすることで、音楽が香りのある環境で広がり、相乗効果を期待できることを特徴とする請求項1記載の芳香拡散装置の構造。
【手続補正２】
【補正対象書類名】実用新案登録請求の範囲
【補正対象項目名】請求項８
【補正方法】変更
【補正の内容】
【請求項８】
更に外付けで音源インプット装置及び／又はマイナスイオン発生器を結合することを特徴とする請求項1記載の芳香拡散装置。